(57)【要約】  本発明の家庭へのエネルギー供給の選択的管理を可能にする、スマートマイクロプロセッサおよびセンサベースのコントローラシステムの使用が例解され、４つのサブ構成要素、即ち、グリッド電力供給システムＡと、電力需要システム（Ｂ）と、特殊設計された電力分配ボックス（Ｃ）と、スマートエネルギーコントローラ（Ｄ）と、太陽光エネルギー２次電力供給およびタイミングシステムユニットＥと、ＲＦ遠隔制御ユニット（Ｇ）と、からなる。エネルギーは、異なる負荷カテゴリ、例えば、重、中、低、基本的な照明、特殊位相要件を必要とする特殊負荷システム（Ｃ２〜Ｃ６）のために各々機能する、一連の電力リレースイッチ（Ｃ１）を通じて、別個のラインに電力を再分配する、特殊設計された電力分配ボックスに、都市ネットワークグリッド（Ａ）を通じて供給される。２つ以上の負荷を、特定のラインＣ３〜Ｃ６と並列に接続することができる。第２のスイッチバンクＣ２は、任意選択的なものであり、これは、太陽光もしくは熱システム等のグリーンエネルギー供給から直接的に、またはバッテリもしくは熱エネルギー貯蔵システムに貯蔵した後に間接的に、供給される別個のラインによって、個々に供給される。
2018523440.tif 000002
【特許請求の範囲】
【請求項１】
スマートマイクロプロセッサおよびセンサベースのコントローラシステムであって、家庭の需要、時間データ、および／または料金データに関する外部センサから送られる外部情報に基づいて、宅内家庭における個々の負荷ラインのオンまたはオフを個々にスイッチすることを通じて、前記家庭へのエネルギー供給の選択的管理を可能にし、受信された前記情報に基づいて、前記コントローラシステムは、電気グリッド供給元のピーク負荷が、低い電気グリッド需要時間に、スイミングプール等の高い家庭負荷に電気エネルギーを選択的に供給することによって低減されるように、前記家庭へのエネルギーの前記供給を管理する、スマートマイクロプロセッサおよびセンサベースのコントローラシステム。
【請求項２】
前記家庭料金が、負荷需要の関数であり、前記コントローラシステムが、家庭電気請求額が低減されるように、家庭電化製品に対する電気エネルギーの管理全体を管理する、請求項１に記載のスマートマイクロプロセッサおよびセンサベースのコントローラシステム。
【請求項３】
前記電気グリッド供給元が、外部制御ポイントから、前記家庭近傍の、または前記家庭内の重負荷を、オンまたはオフにスイッチすることができる、請求項１または請求項２に記載のスマートマイクロプロセッサおよびセンサベースのコントローラシステム。
【請求項４】
前記コントローラシステムが、全体として、より大きい町区および都市において、１時間あたりの家庭内の選択的負荷管理を可能にし、かつ前記電気グリッド供給元によって経験される総負荷の低減を、大規模で可能にする、請求項１〜３のいずれか１項に記載のスマートマイクロプロセッサおよびセンサベースのコントローラシステム。
【請求項５】
前記コントローラシステムによって遠隔開始されたスイッチングが、内部意思決定プロセスによってオーバライドされ、第３者コントローラからＧＳＭ（登録商標）を通じて制御される、請求項１〜４のいずれか１項に記載のスマートマイクロプロセッサおよびセンサベースのコントローラシステム。
【請求項６】
このオーバライドが、前記家庭の所有者または前記電気グリッド供給元によるものである、請求項５に記載のスマートマイクロプロセッサおよびセンサベースのコントローラシステム。
【請求項７】
家庭用電気スイッチングおよび分配ボックスとインターフェースする、スマート家庭用マイクロ電子エネルギーコントローラシステムを含み、該コントローラシステムが、前記家庭内の負荷へのエネルギー供給を選択的におよび／または個々に管理する、請求項１〜６のいずれか１項に記載のスマートマイクロプロセッサおよびセンサベースのコントローラシステム。
【請求項８】
前記スマート家庭用マイクロ電子エネルギーコントローラシステムが、日中に、一般的な異なるクロック時間に従って、前記家庭内の負荷へのエネルギー供給を個々に管理する、請求項７に記載のスマートマイクロプロセッサおよびセンサベースのコントローラシステム。
【請求項９】
前記スマート家庭用マイクロ電子エネルギーコントローラシステムが、日中のクロック時間あたりのエネルギー料金あたりの異なる一般価格に従って、前記家庭内の負荷へのエネルギー供給を個々に管理する、請求項８に記載のスマートマイクロプロセッサおよびセンサベースのコントローラシステム。
【請求項１０】
前記スマート家庭用マイクロ電子エネルギーコントローラシステムが、外部センサによって感知される太陽光強度によって太陽光給電および同期化され、前記家庭内の個々の負荷に対するエネルギースイッチングまたは負荷遮断を同期化および制御するように、日中に入射する最大平均光強度を使用する、請求項１〜９のいずれか１項に記載のスマートマイクロプロセッサおよびセンサベースのコントローラシステム。
【請求項１１】
前記スマート家庭用マイクロ電子エネルギーコントローラシステムが、ピーク電気グリッド負荷時間中の家庭エネルギー使用を低減するように、遠隔場所から無線周波数通信を通じて遠隔的に外部制御される、請求項１〜１０のいずれか１項に記載のスマートマイクロプロセッサおよびセンサベースのコントローラシステム。
【請求項１２】
該スマート家庭用マイクロ電子エネルギーコントローラシステムが、前記電気グリッド上の前記総負荷を低減するように、別個のラインから直接的に利用可能な際、または事前にエネルギー貯蔵システムに貯蔵されている際、グリーンエネルギーを前記家庭に選択的に送給する、請求項１〜１１のいずれか１項に記載のスマートマイクロプロセッサおよびセンサベースのコントローラシステム。
【発明の詳細な説明】
【技術分野】
【０００１】
本発明は、タイミングおよび料金データに基づくエネルギー制御のための電子コントローラに関する。
【発明の概要】
【０００２】
本発明の第１の態様によると、スマートマイクロプロセッサおよびセンサベースのコントローラシステムが提供され、これは、家庭の需要、時間データ、および／または料金データに関する外部センサから送られる外部情報に基づいて、宅内家庭における個々の負荷ラインのオンまたはオフを個々にスイッチすることを通じて、家庭へのエネルギー供給の選択的管理を可能にし、受信された情報に基づいて、コントローラシステムは、電気グリッド供給元のピーク負荷が、低い電気グリッド需要時間に、スイミングプール等の高い家庭負荷に電気エネルギーを選択的に供給することによって低減されるように、家庭へのエネルギーの供給を管理する。
【０００３】
ここでは、家庭料金は、負荷需要の関数であり、コントローラシステムは、家庭電気請求額が低減されるように、家庭電化製品に対する電気エネルギーの管理全体を管理し得る。
【０００４】
任意選択的に、電気グリッド供給元はまた、外部制御ポイントから、家庭近傍の、または家庭内の重負荷を、オンまたはオフにスイッチし得る。
【０００５】
コントローラシステムは、全体として、より大きい町区および都市において、１時間あたりの家庭内の選択的負荷管理を可能にし得、かつ電気グリッド供給元によって経験される総負荷の低減を、大規模で可能にし得る。
【０００６】
コントローラシステムは、スイッチングプロセスを制御するために使用される、スマートスイッチングデバイスと、マイクロプロセッサ論理と、ソフトウェアアルゴリズムと、タイミングデバイスと、を含み得る。
【０００７】
コントローラシステムによって遠隔開始されたスイッチングは、内部意思決定プロセスによってオーバライド（無効）とすることができ、第３者コントローラからＧＳＭ（登録商標）を通じて制御され得る。このオーバライド（無効）は、家庭の所有者または電気グリッド供給元によってでも良い。
【０００８】
例として、南アフリカは、現在、予想外の電力障害を経験している。これは、家庭居住管理に影響しているばかりでなく、産業および鉱業部門等の国内生産性にも影響する。マイクロプロセッサが事前プログラムした意思および電気送給情報に基づく選択的管理システムは、これらの問題を大幅に軽減し得る。
【０００９】
このため、本発明は、南アフリカの住宅にあり、そして現地ではＤＢボードと称され、家庭内の負荷へのエネルギー供給を選択的におよび／または個々に管理するような、家庭用電気スイッチングおよび分配ボックスとインターフェースするスマート家庭用マイクロ電子エネルギーコントローラシステムにまで及ぶ。
【００１０】
スマート家庭用マイクロ電子エネルギーコントローラシステムは、日中に、一般的な異なるクロック時間に従って、家庭内の負荷へのエネルギー供給を個々に管理し得る。
【００１１】
スマート家庭用マイクロ電子エネルギーコントローラシステムは、日中のクロック時間あたりのエネルギー料金あたりの異なる一般価格に従って、家庭内の負荷へのエネルギー供給を個々に管理し得る。
【００１２】
スマート家庭用マイクロ電子エネルギーコントローラシステムは、外部センサによって感知される太陽光強度によって給電および同期化されることができ、家庭内の個々の負荷に対するエネルギースイッチングまたは負荷遮断を同期化および制御するように、日中に入射する最大平均光強度を使用する。
【００１３】
スマート家庭用マイクロ電子エネルギーコントローラシステムは、例えば、ピーク電気グリッド負荷時間中の家庭エネルギー使用を低減するように、遠隔場所から無線周波数通信を通じて遠隔的に外部制御され得る。
【００１４】
スマート家庭用マイクロ電子エネルギーコントローラシステムは、電気グリッド上の総負荷を低減するように、別個のラインから直接的に利用可能な際、または事前にエネルギー貯蔵システムに貯蔵されている際、グリーンエネルギーを住宅に選択的に送給し得る。
【００１５】
本特許明細書の文脈において、「グリーンエネルギー」という用語は、太陽光パネル、風力電力、水力電力、ならびに他の電気の源（石炭、油、およびこれらの誘導体等の炭化水素、ならびに電気を生成するためのガスの燃焼を使用せず、かつ廃棄物、バイオ燃料、およびバイオガスの燃焼、ならびに原子力を含み得る）から得られる電気を示すために使用される。
【００１６】
スマート家庭用マイクロ電子エネルギーコントローラシステムは、都市のオフィス環境または公共のエネルギー供給エリアにおいて使用され得る。
【００１７】
ここで、添付の図面を参照して、本発明を非限定的であるに過ぎない例によって説明する。
【図面の簡単な説明】
【００１８】
【図１】家庭へのエネルギー供給の選択的管理を可能にする、スマートマイクロプロセッサおよびセンサベースのコントローラシステムを使用した、電力供給システムの図を示す。
【図２】本発明において使用されるマイクロプロセッサベースのコントローラシステムの描写を示す。
【発明を実施するための形態】
【００１９】
以降、すべての参照番号は、本発明が非限定的であるに過ぎない例によって例解されている図１および図２を参照する。
【００２０】
システムの実施形態は、図１に例解されるように、４つのサブ構成要素、即ち、グリッド電力供給システムＡと、電力需要システム（Ｂ）と、特殊設計された電力分配ボックス（Ｃ）と、スマートエネルギーコントローラ（Ｄ）と、太陽光エネルギー２次電力供給およびタイミングシステムユニットＥと、ＲＦ遠隔制御ユニット（Ｇ）と、からなる。
【００２１】
エネルギーは、異なる負荷カテゴリ、例えば、重、中、低、基本的な照明、特殊位相要件を必要とする特殊負荷システム（Ｃ２〜Ｃ６）のために各々機能する、一連の電力リレースイッチ（Ｃ１）を通じて、別個のラインに電力を再分配する、特殊設計された電力分配ボックスに、都市ネットワークグリッド（Ａ）を通じて供給される。２つ以上の負荷を、特定のラインＣ３〜Ｃ６と並列に接続することができる。
【００２２】
第２のスイッチバンクＣ２は、任意選択的なものであり、これは、太陽光もしくは熱システム等のグリーンエネルギー供給から直接的に、またはバッテリもしくは熱エネルギー貯蔵システムに貯蔵した後に間接的に、供給される別個のラインによって、個々に供給される。
【００２３】
分配ボックススイッチは、すべての重負荷が、１つのサブライン（Ｃ３）に接続され、すべての中負荷が、第２の別個のライン（Ｃ４）に接続され、すべての軽負荷（例えば、照明、照明電化製品、プラグなど）が、第３のライン（Ｃ５）に接続され、特殊位相制御を必要とするコンピュータ、ラップトップ、電子サブ制御機器等のすべての特殊機器が、第４のライン（Ｃ６）に接続されるように、配設される。
【００２４】
これらのラインの各々は、いずれか１つの段階において、都市グリッドネットワーク、または代替的に、太陽光エネルギーバックアップ供給のいずれかに、スマートマイクロ電子エネルギーコントローラ（Ｄ）によって制御される一連の電子スイッチによって、その後接続される。スイッチは、典型的に、自由市場において入手可能であるようなＭＯＳＦＥＴまたはサイリスタタイプのスイッチであり得る。
【００２５】
分配ボックススイッチは、すべての重負荷（例えば、コンロ、自動湯沸かし器、スイミングプール、および温泉ポンプ）が、１つのサブラインに接続され、すべての中負荷（例えば、冷蔵庫、テレビ、ヘアドライヤ、湯沸かしなど）が、第２の別個のラインに接続され、すべての軽負荷（例えば、照明、照明電化製品、プラグなど）が、第３のラインに接続され、特殊位相制御を必要とするコンピュータ、ラップトップ、電子サブ制御機器等のすべての特殊機器が、第４のラインに接続されるように、配設される。これらのラインの各々は、いずれか１つの段階において、都市グリッドネットワーク、または代替的に、太陽光エネルギーバックアップ供給のいずれかに、スマートコントローラによって制御される一連の電子スイッチによって、その後接続される。スイッチは、典型的に、自由市場において入手可能であるようなＭＯＳＦＥＴまたはサイリスタタイプのスイッチであり得る。
【００２６】
マイクロプロセッサベースのコントローラ（Ｄ）は、システムの心臓部であると見なされる。これは、図２で強調されているようないくつかのサブユニットと、マイクロコントローラ、センサ入力ならびに入力増幅器およびバッファと、ＧＳＭ（登録商標）またはＲＦベースの受信器モジュールと、タイミングモジュールと、高電力スイッチを駆動することができる一連のアクチュエータと、からなる。
【００２７】
タイミングユニットのデータベースは、極めて重要である。タイマユニットは、外部太陽光給電モジュールおよびセンサユニットによって制御される。このユニットは、日中の太陽からの入射放射線を非常に正確に感知し、一連の２次制御回路を通じて、毎日正午１２：００にコントローラモジュールＤ内のタイマをリセットする。また、これは、停電の時間中にさえ、コントローラユニット全体に太陽光電力を供給する。
【００２８】
コントローラユニットの主な目的は、ＲＦ遠隔制御ユニットから、家庭所有者またはグリッドエネルギー供給ネットワークからのいずれかから、１時間当たりの料金価格に関する情報をインポートすることである。コントローラが受信する情報に基づいて、次いで、コントローラは、家庭用自動湯沸かし器、スイミングプール、床暖房システム、および冷却システム等の重負荷をいつスイッチオンまたはスイッチオフするかの賢明な意思を決定する。リサイクリングアルゴリズムは、特定の瞬間に利用可能であるデータおよびセンサ情報のすべてを周期的に繰り返すことによって意思決定する。高い料金が有効である場合、これは、自動湯沸かし器、スイミングプール、床暖房、冷蔵庫の冷却の温度状態を感知し、かつ適切な場合、高い料金期間中は、これらの負荷をスイッチオフする。低い料金期間中は、これは、再度、高い負荷の電化製品を優先させ、住宅内の他の電化製品ラインの各々を最適に管理することを優先させる。
【００２９】
エネルギーが代替的な源から利用可能であるとき、太陽もしくは熱システムから直接的に利用可能である際、または事前に貯蔵システムに蓄積されている際のいずれかに、スマートコントローラは、グリッド供給ネットワーク上の総負荷を軽減するように、これらのエネルギー資源に選択的にスイッチすることができる。
【００３０】
したがって、該システムは、住居所有者およびグリッドエネルギー供給元の両方に対する２つの有益な目的を達成することができる。
１）これは、グリッドエネルギー供給元に対して、ピークおよび重負荷需要期間中に、自動的に高い負荷の電化製品をオフにした状態にすることができる。町区またはより大きい都市の多数の家庭が、同じ標準的システムを使用する場合の集団的利益は、莫大であり得る。
２）１日の異なる期間に対して、異なる料金が有効であるエリアにおいて、スマートコントローラは、住宅所有者の電力使用請求額が、１か月以上にわたって最小化されるように、家庭へのエネルギーフローを知的に管理することができる。長期にわたって考慮した場合、住宅所有者に対する節約は莫大であり得る。
３）コントローラシステムは、太陽光エネルギーから動作し、太陽の周期的強度を使用して、コントローラのクロックタイマを調節する。これは、コントローラの管理サイクルに対する精度を確実にし、他の電力源またはタイミング制御回路から完全に独立したものにする。
【図１】
2018523440.tif 000003
【図２】
2018523440.tif 000004
【国際調査報告】
2018523440.tif 000005
2018523440.tif 000006
2018523440.tif 000007
2018523440.tif 000008
2018523440.tif 000009